(57)【特許請求の範囲】
【請求項１】
試験対象の移動体端末にダウンリンク信号を送信する送信部（２２）および前記ダウンリンク信号を受けた移動体端末が出力するアップリンク信号を受信し、ベースバンド信号に変換する受信部（２４）を含む送受信部（２１）と、
前記送受信部を介して移動体端末との間で基地局を模した信号授受を行い、移動体端末の試験に必要な処理を行なう試験処理部（３０）と、
試験結果を表示するための表示部（４０）とを有する移動体端末試験装置において、
前記送信部が移動体端末に送信するダウンリンク信号に、高速移動物体とともに移動体端末が基地局に対して接近、離反する状況を模擬する所定の周波数変動を付与する周波数変動付与手段（２５ａ）と、
前記所定の周波数変動が付与されたダウンリンク信号が前記送信部から送信されているときに、前記受信部で得られるベースバンド信号を受けて、アップリンク信号の周波数変動を検出する周波数変動検出手段（２５ｂ）と、
前記周波数変動検出手段によって検出される周波数変動に応じて前記受信部で前記ベースバンド信号を得るために用いるローカル信号の周波数を補正する周波数補正手段（２５ｃ）と、
前記周波数変動検出手段によって検出される周波数変動に基づいて、前記所定の周波数変動が与えられたダウンリンク信号に対して移動体端末から送信されたアップリンク信号の周波数変動の特性を前記表示部に表示する変動特性表示手段（３３）とが備えられていることを特徴とする移動体端末試験装置。
【請求項２】
前記周波数補正手段は、前記ローカル信号の周波数補正の間隔を可変できるように構成され、前記周波数変動付与手段によりダウンリンク信号に前記所定の周波数変動が付与される場合には該所定の周波数変動の変化率に対応する第１の間隔で前記ローカル信号の周波数補正を行い、前記周波数変動付与手段による所定の周波数変動が付与されない場合には、前記第１の間隔より広い第２の間隔で前記ローカル信号の周波数補正を行なうことを特徴とする請求項１記載の移動体端末試験装置。
【請求項３】
前記変動特性表示手段は、
前記周波数変動付与手段によってダウンリンク信号に付与された所定の周波数変動の特性を、前記アップリンク信号の周波数変動の特性と対比可能に表示することを特徴とする請求項１または請求項２記載の移動体端末試験装置。
【請求項４】
前記送受信部は、試験対象の移動体端末との間でＣＤＭＡ方式による通信を行なうように構成されており、
前記周波数変動検出手段は、前記受信部においてコード逆拡散されて直交復調処理を受けることで得られるベースバンド信号のうち、特定チャネルのパイロット信号に対する周波数変動を検出することを特徴とする請求項１〜３のいずれかに記載の移動体試験装置。
【請求項５】
高速移動物体とともに移動体端末が基地局に対して接近、離反する状況を模擬する所定の周波数変動を付与されたダウンリンク信号を試験対象の移動体端末に送信する段階と、
前記所定の周波数変動が付与されたダウンリンク信号を受けた移動体端末が出力するアップリンク信号を受信し、ベースバンド信号に変換する段階と、
前記ベースバンド信号からアップリンク信号の周波数変動を検出する段階と、
前記検出された周波数変動に応じて前記ベースバンド信号を得るために用いるローカル信号の周波数を補正する段階と、
前記検出された周波数変動に基づいて、前記所定の周波数変動が与えられたダウンリンク信号に対して移動体端末から送信されたアップリンク信号の周波数変動の特性を表示する段階とを含む移動体端末試験方法。
【発明の詳細な説明】
【技術分野】
【０００１】
本発明は、携帯電話やスマートフォン等の移動体端末の試験を行なう技術に関し、特に、高速移動中の移動体端末が基地局からのダウンリンク（以下、ＤＬと記す）信号を受ける際にドップラ効果の影響によるＤＬ信号の受信周波数の変動に対してどのような応答を示すかの試験を、リアルタイムに行なうための技術に関する。
【背景技術】
【０００２】
移動体通信における通信規格３ＧＰＰには、基地局からのＤＬ信号の周波数が大きく変動する状況での試験が規定されている。
【０００３】
その一例としてＨＳＴ（High Speed Train）試験がある。ＨＳＴ試験は、新幹線等のような高速移動物体により移動体端末が高速移動する状況を、フェージングシミュレータを有する試験装置により再現し、移動体端末との間で正しく通信できるか否かを確認する試験である。
【０００４】
この場合、ドップラ効果により、移動体端末が基地局に近づく状況ではＤＬ信号に対する移動体端末の受信周波数が高くなり、移動体端末が基地局から遠ざかる状況ではＤＬ信号に対する移動体端末の受信周波数が低くなる。
【０００５】
ここで、移動体端末が基地局へ送信するアップリンク（以下、ＵＬと記す）の送信周波数はＤＬ信号の受信周波数を基に端末内部で決定されるが、その周波数決定処理の具体的な構成については３ＧＰＰ規格では規定されておらず、端末メーカによって異なる。
【０００６】
このため、上記ドップラ効果と同等な周波数変動を与えたＤＬ信号を所定位置に固定された試験対象の移動体端末に送信し、そのＤＬ信号に対して移動体端末から送信されるＵＬ信号を受信し、その波形データを記憶し、その記憶した波形データを解析してＵＬ信号の周波数変動を把握し、ＤＬ信号に与えた周波数変動とＵＬ信号の波形データから求めた周波数変動とを対比することで、移動体端末の周波数追従性を確認できる。
【０００７】
なお、フェージングシミュレータを用いて移動体端末の試験を行なう技術に関しては、
例えば、特許文献１に開示されている。
【先行技術文献】
【特許文献】
【０００８】
【特許文献１】特開２０１３−１９８１３５号公報
【発明の概要】
【発明が解決しようとする課題】
【０００９】
しかしながら、上記のように、移動体端末からのＵＬ信号の波形データを記憶し、その波形データを解析して周波数変動を求める処理では、リアルタイムに周波数変動データが得られず、試験を効率的に行なうことができない。また、波形データを記憶するメモリの容量に制限があるため、長時間の周波数変動を測定することが困難となる。
【００１０】
本発明は、この問題を解決し、ＨＳＴ試験等の際に、ＵＬ信号の周波数変動をリアルタイムに且つ長時間にわたって測定できる移動体端末試験装置および試験方法を提供することを目的としている。
【課題を解決するための手段】
【００１１】
前記目的を達成するために、本発明の請求項１の移動体端末試験装置は、
試験対象の移動体端末にダウンリンク信号を送信する送信部（２２）および前記ダウンリンク信号を受けた移動体端末が出力するアップリンク信号を受信し、ベースバンド信号に変換する受信部（２４）を含む送受信部（２１）と、
前記送受信部を介して移動体端末との間で基地局を模した信号授受を行い、移動体端末の試験に必要な処理を行なう試験処理部（３０）と、
試験結果を表示するための表示部（４０）とを有する移動体端末試験装置において、
前記送信部が移動体端末に送信するダウンリンク信号に、高速移動物体とともに移動体端末が基地局に対して接近、離反する状況を模擬する所定の周波数変動を付与する周波数変動付与手段（２５ａ）と、
前記所定の周波数変動が付与されたダウンリンク信号が前記送信部から送信されているときに、前記受信部で得られるベースバンド信号を受けて、アップリンク信号の周波数変動を検出する周波数変動検出手段（２５ｂ）と、
前記周波数変動検出手段によって検出される周波数変動に応じて前記受信部で前記ベースバンド信号を得るために用いるローカル信号の周波数を補正する周波数補正手段（２５ｃ）と、
前記周波数変動検出手段によって検出される周波数変動に基づいて、前記所定の周波数変動が与えられたダウンリンク信号に対して移動体端末から送信されたアップリンク信号の周波数変動の特性を前記表示部に表示する変動特性表示手段（３３）とが備えられている。
【００１２】
また、本発明の請求項２の移動体試験装置は、請求項１記載の移動体端末試験装置において、
前記周波数補正手段は、前記ローカル信号の周波数補正の間隔を可変できるように構成され、前記周波数変動付与手段によりダウンリンク信号に前記所定の周波数変動が付与される場合には該所定の周波数変動の変化率に対応する第１の間隔で前記ローカル信号の周波数補正を行い、前記周波数変動付与手段による所定の周波数変動が付与されない場合には、前記第１の間隔より広い第２の間隔で前記ローカル信号の周波数補正を行なうことを特徴としている。
【００１３】
また、本発明の請求項３の移動体試験装置は、請求項１または請求項２記載の移動体端末試験装置において、
前記変動特性表示手段は、
前記周波数変動付与手段によってダウンリンク信号に付与された所定の周波数変動の特性を、前記アップリンク信号の周波数変動の特性と対比可能に表示することを特徴とする。
【００１４】
また、本発明の請求項４の移動体端末試験装置は、請求項１〜３のいずれかに記載の移動体試験装置において、
前記送受信部は、試験対象の移動体端末との間でＣＤＭＡ方式による通信を行なうように構成されており、
前記周波数変動検出手段は、前記受信部においてコード逆拡散されて直交復調処理を受けることで得られるベースバンド信号のうち、特定チャネルのパイロット信号に対する周波数変動を検出することを特徴とする。
【００１５】
また、本発明の請求項４の移動体端末試験方法は、
高速移動物体とともに移動体端末が基地局に対して接近、離反する状況を模擬する所定の周波数変動を付与されたダウンリンク信号を試験対象の移動体端末に送信する段階と、
前記所定の周波数変動が付与されたダウンリンク信号を受けた移動体端末が出力するアップリンク信号を受信し、ベースバンド信号に変換する段階と、
前記ベースバンド信号からアップリンク信号の周波数変動を検出する段階と、
前記検出された周波数変動に応じて前記ベースバンド信号を得るために用いるローカル信号の周波数を補正する段階と、
前記検出された周波数変動に基づいて、前記所定の周波数変動が与えられたダウンリンク信号に対して移動体端末から送信されたアップリンク信号の周波数変動の特性を表示する段階とを含んでいる。
【発明の効果】
【００１６】
このように、本発明では、高速移動物体とともに移動体端末が基地局に対して接近、離反する状況を模擬する所定の周波数変動を付与されたダウンリンク信号を試験対象の移動体端末に送信し、このダウンリンク信号を受けた移動体端末が出力するアップリンク信号を受信し、ベースバンド信号に変換し、そのベースバンド信号からアップリンク信号の周波数変動を検出し、検出した周波数変動に応じてベースバンド信号を得るために用いるローカル信号の周波数を補正するとともに、その検出された周波数変動に基づいて、所定の周波数変動が与えられたダウンリンク信号に対して移動体端末から送信されたアップリンク信号の周波数変動の特性を表示するようにしている。
【００１７】
つまり、ＨＳＴ等の試験のために解析が必要なアップリンク信号の周波数変動を、その周波数変動によるベースバンド信号の周波数ずれを補正するためのデータとして検出し、これに基づいて周波数変動特性を表示するので、アップリンク信号の波形データを記憶して解析を行なう必要がなく、ＨＳＴ等の試験をリアルタイムに且つ長時間にわたって連続的に行なうことができる。
【図面の簡単な説明】
【００１８】
【図１】本発明の実施形態の構成図
【図２】実施形態の要部構成図
【図３】ダウンリンク信号に付与する周波数変動の例を示す図
【図４】測定結果の表示例を示す図
【発明を実施するための形態】
【００１９】
以下、図面に基づいて本発明の実施の形態を説明する。
図１は、本発明を適用した移動体端末試験装置（以下、単に試験装置と記す）２０の構成を示している。
【００２０】
試験装置２０は、送受信部２１、試験処理部３０および表示部４０を有している。送受信部２１は、送信部２２、結合器２３、受信部２４および通信制御部２５によって構成されている。
【００２１】
送信部２２は、試験処理部３０からの指示を受けた通信制御部２５からベースバンド信号および制御信号等を受けて、試験に必要な高周波のダウンリンク（ＤＬ）信号を生成し、結合器２３を介して試験対象の移動体端末１に送信する。
【００２２】
送信部２２の構成は、通信制御部２５から入力するベースバンド信号を直交変調処理して移動体端末１との通信に用いる高周波帯のＤＬ信号を生成するが、その途中で周波数変換を行なう場合もある。また、通信方式固有の処理が含まれる場合もある。例えば、ＣＤＭＡ方式では、ベースバンド信号に対してコード拡散処理を行なってから直交変調処理を行なう。なお、送信部２２は、周波数変換用のローカル信号や直交変調処理に用いるローカル信号の周波数を変化させることでＤＬ信号の周波数を変化させることができるように構成されている。
【００２３】
送信部２２から結合器２３を介して出力されるＤＬ信号は、移動体端末１で受信され、それに対する応答としてアップリンク（ＵＬ）信号が移動体端末１から出力されて、結合器２３を介して受信部２４に入力される。
【００２４】
受信部２４は、入力されるＵＬ信号を受信し、周波数変換処理および直交復調処理によりベースバンド信号へ変換する。より具体的に言えば、ＣＤＭＡ方式であれば、図２のようにＵＬ信号（コード拡散処理を受けているＵＬ信号）をヘテロダイン方式の周波数変換器２４ａに入力して所定の中間周波数帯に周波数変換し、その中間周波数帯の信号を、逆拡散処理器２４ｂにより拡散前の信号に戻し、これを直交復調器２４ｃに与えてベースバンド信号に変換している。上記ＣＤＭＡ方式のようにコード逆拡散処理を行なうと逆拡散前の広い帯域幅（約４ＭＨｚ）が１５ｋＨｚ程度の狭い帯域幅に戻り、しかも周波数変動量は維持されるので、１５ｋＨｚ程度の幅の信号で数１０Ｈｚ〜数１００Ｈｚの周波数変動を検出すればよく、広い帯域のまま数１０Ｈｚ〜数１００Ｈｚの周波数変動を検出する場合と比べて変動検出が容易となる。
【００２５】
その他の方式、例えばＬＴＥでは、周波数時間分割方式に対応した前処理を行って直交復調処理を行い、試験対象の移動体端末１から送信されたＵＬ信号をベースバンド信号に変換する。
【００２６】
なお、ベースバンド信号は互いに直交するＩ、Ｑの信号であり、そのＩ信号の値とＱ信号の値で決まる直交座標上の点がデータのシンボル座標となる。例えばＣＤＭＡ方式のＵＬ信号に含まれるパイロット信号（ＵＬ−ＤＰＣＣＨ）のようにＩとＱが一定（例えばＩ＝Ｑ＝１）で常時出力される信号を受信する場合に、受信周波数ずれが無ければ、ローカル信号の周期（サンプリング周期）毎に得られるシンボル点の座標位置は（Ｉ、Ｑ）の位置で変化せずシンボル同期状態となるが、受信周波数ずれがあればそのずれた周波数でＩとＱの値が変化し、シンボル点の座標が移動する。
【００２７】
したがって、このパイロット信号のように定常的に出力されているベースバンド信号から得られるシンボル点の動きを監視することで受信信号に対する受信部２４のシンボル同期がとれているか否かを把握でき、シンボル同期がとれていない場合、ローカル信号の周波数を補正することで同期状態を維持することができる。ＣＤＭＡ以外の方式でも、ＵＬ信号中の定常的に出力されている信号を用いることで上記周波数変動の検出が可能である。
【００２８】
ここで、シンボル点の位置が測定間隔ΔＴ（秒）の間にΔθ（ラジアン）変化したとすれば、周波数ずれΔＦ（Ｈｚ）は、
ΔＦ＝Δθ／（２πΔＴ）
と表される。
【００２９】
例えば、測定間隔ΔＴを１０ミリ秒とし、位相変化Δθをそれぞれπ／２、π、２πとすれば、周波数ずれΔＦは、それぞれ２５Ｈｚ、５０Ｈｚ、１００Ｈｚとなる。
【００３０】
通信制御部２５は、試験処理部３０からの指示を受け、送信部２２および受信部２４に対する各種制御を行なう。この通信制御部２５には、前記したＨＳＴ試験を行なう際に、ＤＬ信号に周波数変動を付与する周波数変動付与手段２５ａが設けられている。周波数変動付与手段２５ａは、試験処理部３０から指定された試験内容にしたがって、送信部２２内での周波数変換処理や直交変調処理に用いるローカル信号の周波数に所定の変動を与えることで、高速移動物体とともに移動体端末が基地局に対して接近、離反する状況を模擬する所定の周波数変動をＤＬ信号に付与する。
【００３１】
また、通信制御部２５には、周波数変動付与手段２５ａによって所定の周波数変動が付与されたＤＬ信号が送信部２２から送信されているときに、受信部２４で得られるベースバンド信号を受けて、そのＵＬ信号の周波数変動を検出する周波数変動検出手段２５ｂと、その検出された周波数変動に応じて受信部２４内でベースバンド信号を得るために周波数変換処理や直交復調処理で用いるローカル信号の周波数を補正する周波数補正手段２５ｃが設けられている。
【００３２】
より具体的に言えば、周波数変動検出手段２５ｂは、前記したようにベースバンド信号から得られるシンボル点の動きを監視して、ＵＬ信号の周波数変動を検出し、周波数補正手段２５ｃは、そのシンボル同期状態が維持されるように受信部２４の内部での周波数変換処理や直交復調処理に用いるローカル信号の周波数を補正する。実際には、この周波数変動は８００ＭＨｚ〜２ＧＨｚの間に割当てられている送受信周波数に比べて数１００Ｈｚ程度と格段に小さいので、周波数補正処理は、直交復調処理に用いる比較的周波数が低いローカル信号に対して行なうことになる。
【００３３】
なお、周波数変動検出手段２５ｂおよび周波数補正手段２５ｃは、上記したＨＳＴ試験のように、ＤＬ信号に意図的に周波数変動を付与して試験を行なうモードだけでなく、ＤＬ信号に意図的な周波数変動が付与されない状態で受信周波数ずれを補正するモードの場合にも機能するように構成されている。
【００３４】
ただし、ＤＬ信号に周波数変動が付与されない状態で受信周波数ずれを補正するモードの場合には、その補正の間隔を短くすると過補正となってかえって周波数の暴れが大きくなってしまうので、例えば数秒程度の長い間隔で緩やかに補正する必要がある。
【００３５】
これに対し、ＨＳＴ試験のように短時間に比較的大きな周波数変動が想定される場合には、数秒程度の間隔では補正が間に合わない。
【００３６】
これに対処するための方法として、試験モードに応じて周波数変動検出手段２５ｂの周波数変動検出の間隔および周波数補正手段２５ｃの周波数補正の間隔を連動的に変更できるようにする方法と、周波数変動検出の間隔は試験モードに依らずに短い値に固定しておき、周波数補正の間隔だけを試験モードに応じて可変できるようにする方法が採用できる。
【００３７】
前者の方法では、周波数変動が付与されるモードの場合、周波数変動検出および周波数補正をその付与する周波数変動の変化率に応じた短い第１の間隔（例えば１０ミリ秒）で行い、周波数変動が付与されないモードの場合、周波数変動検出および周波数補正を第１の間隔より長い第２の間隔（例えば数秒）で行う。
【００３８】
後者の方法では、周波数変動が付与されるモードの場合、周波数変動検出および周波数補正を前記第１の間隔（例えば１０ミリ秒）で行い、周波数変動が付与されないモードの場合、周波数変動検出は第１の間隔のままで、周波数補正を第１の間隔より長い第２の間隔（例えば数秒）で行う。つまり、少なくとも周波数補正手段２５ｃの補正間隔については、試験モードに応じて可変できるようにすればよいことになる。
【００３９】
試験処理部３０は、送受信部２１を介して移動体端末１との間で基地局を模した通信を行い、移動体端末１の試験に必要な種々の処理を行なうが、ここでは、前記したＨＳＴ試験を行なうための構成について説明する。
【００４０】
試験処理部３０には、移動体端末の各種試験に必要な手順や条件等のデータを記述したシナリオ情報を記憶し、このシナリオ情報にしたがって処理を実行するシナリオ処理部３１が設けられている。このシナリオ情報はユーザーが任意に生成することができ、ユーザーが図示しない操作部によって所望の試験内容に対応するシナリオ情報を指定することで、シナリオ処理部３１が処理を実行し、その試験に必要なデータが出力される。
【００４１】
ＨＳＴ試験に関するシナリオ情報をより具体的に言えば、ＤＬ信号に付与する周波数変動情報を送受信部２１に指定して、その周波数変動が付加されたＤＬ信号を送信させる。
【００４２】
ここで、例えば、新幹線等のように高速走行する高速移動体とともに移動体端末が基地局に対して接近、離反する状況を模擬するＨＳＴ試験で、周波数ｆｔのＤＬ信号を、時速ｖで基地局に近づく移動体端末が受ける際の受信周波数ｆｒは、
ｆｒ＝ｆｔ・ｃ／（ｃ−ｖ）    （Ｈｚ）
で表される。ただしｃは電磁波の速度で３×１０８ｍ／秒である。
【００４３】
具体的に言えば、移動体端末の移動速度ｖを時速３００ｋｍ、ＤＬ信号の周波数ｆｔを２ＧＨｚとして受信周波数ｆｒを求めると、約２００００００５５５（Ｈｚ）となり、送信周波数に対して約５５５Ｈｚ高い周波数にシフトする。
【００４４】
逆に、周波数ｆｔのＤＬ信号を、時速ｖで基地局から遠ざかる移動体端末が受ける際の受信周波数ｆｒは、
ｆｒ＝ｆｔ・ｃ／（ｃ＋ｖ）    （Ｈｚ）
で表され、上記同様の数値例で受信周波数ｆｒを求めると、送信周波数２ＧＨｚに対して約５５５Ｈｚ低い周波数にシフトする。
【００４５】
したがって、これを模擬するためには、図３に示すように、送信部２２から出力するＤＬ信号の周波数ｆ(DL)を、正規の周波数ｆ０（＝２ＧＨｚ）に対してΔｆ（＝５５５Ｈｚ）だけ高く設定した状態を一定期間Ｔ１継続し、その後に正規の周波数ｆ０まで所定の変化率で連続的に下げ、さらにその変化率を維持したまま正規の周波数ｆ０よりにΔｆ′（＝５５５Ｈｚ）だけ低い周波数まで連続的に下げ、以後はその周波数で一定期間Ｔ２保つことになる。なお、電磁波の速度ｃに比べて移動体端末の速度ｖが格段に小さいので、移動体端末が近づいているときのシフト周波数Δｆと移動体端末が遠ざかっているときのシフト周波数Δｆ′はほぼ等しくなる。
【００４６】
変動モデル記憶手段３２には、移動速度や通信周波数等をパラメータとして図３に示したような周波数変動モデルが複数種類記憶されており、シナリオ処理部３１が試験に用いる周波数変動モデルを指定すると、変動モデル記憶手段３２から指定された周波数変動モデルに対応したパラメータが読み出されて通信制御部２５に与えられ、所望の周波数変動が付与されることになる。
【００４７】
また、変動特性表示手段３３は、通信制御部２５の周波数変動検出手段２５ｂによって時系列に検出される周波数変動のデータを記憶しつつ、所定の周波数変動が与えられたＤＬ信号に対して移動体端末１から送信されたＵＬ信号の周波数変動の特性を表示部４０に表示する。なお、この場合に記憶するデータは周波数の変動量を表すデータであって、前記したように１０ミリ秒程度の間隔で得られるので、長時間の測定でも少ないメモリ容量で記憶可能である。
【００４８】
また、この変動特性表示手段３３は、ＵＬ信号の周波数変動の特性のみを表示するモードと、周波数変動付与手段２５ａによってＤＬ信号に付与された所定の周波数変動の特性を、ＵＬ信号の周波数変動の特性と対比可能に表示するモードも有しており、どちらのモードで表示するかは、図示しない操作部を介したユーザーからの指定により決まる。
【００４９】
図４は、表示部４０に表示された周波数変動特性の一例を示すものであり、ＤＬ信号に付与した周波数変動特性ＡとＵＬ信号の周波数変動特性Ｂとを比較すると、特性Ａの周波数変動に対して特性Ｂの周波数変動が抑圧されていることがわかる。
【００５０】
また、図４の特性Ｃは、他装置によってＵＬ信号の波形データを所得して綿密なＦＦＴ解析して得られた特性であり、実施例の試験装置２０によって得られた周波数変動特性Ｂが、この特性Ｃとほぼ一致しており、移動体端末１のＨＳＴ試験を十分な精度で行なえることがわかる。なお、図４の特性Ｃは、実施例の試験装置２０によって得られた周波数変動特性Ｂとの対比のために記載したものであり、実施例の試験装置２０が表示部４０に表示する特性ではない。
【００５１】
また、図４に示した各特性は、ドップラシフトが無い状態におけるＤＬ信号、ＵＬ信号の正規の周波数を基準（中心）としてグラフ上に重ねたものであり、実周波数はＤＬ信号の周波数とＵＬ信号の周波数の差だけ上下に離間しており、その離間した状態で特性を表示しても両者の対比が可能である。
【００５２】
また、この試験装置２０では、ＵＬ信号を受信して得られるベースバンド信号からその周波数変動を検出し、その変動特性を表示するようにしているので、波形データを所得して綿密なＦＦＴ解析して周波数変動特性を求める必要がなく、リアルタイムにＨＳＴ試験結果を得ることができ、試験効率が格段に向上する。
【００５３】
なお、図示しないが、移動体端末のメーカや機種によって同一の周波数変動特性Ａに対して周波数変動特性Ｂが異なることがわかっており、機種ごとにＨＳＴ試験の異なる結果が得られていることから、上記のような波形データに対する綿密な解析を行なわなくても、ＨＳＴ試験に対する各移動体端末の特性の違いを正しく把握できることが確認された。
【符号の説明】
【００５４】
２０……移動体端末試験装置、２１……送受信部、２２……送信部、２３……結合器、２４……受信部、２５……通信制御部、２５ａ……周波数変動付与手段、２５ｂ……周波数変動検出手段、２５ｃ……周波数補正手段、３０……試験処理部、３１……シナリオ処理部、３２……変動モデル記憶手段、３３……変動特性表示手段、４０……表示部
【図１】
0005844396.tif 000002
【図２】
0005844396.tif 000003
【図３】
0005844396.tif 000004
【図４】
0005844396.tif 000005